(57)【要約】【課題】符号化されたデジタル映像信号から、特定右方そう方式に対応した外部記録装置で録画するのに好適な映像信号、及び表示のために表示部へ供給するのに好適な映像信号をそれぞれ得るようにする。【解決手段】受信された符号化映像信号は、復調回路(11)により復調され、復号回路(12)により復号される。復号映像信号(103)は、フォーマット変換回路(15)によってアナログ形式の映像信号に変換され、外部出力(109)として外部記録装置(3)に出力される。この外部記録装置(3)はNTSC方式に対応しており、制御回路(18)は、映像を外部記録装置(3)に録画する場合は、フレーム周波数29.97Hzに同期したクロックを、それ以外の場合は、受信した符号化映像信号のフレーム周波数に同期したクロックをフォーマット変換回路(15)及び復号回路(12)に供給するよう、発振器(17)を制御する。【選択図】  図１
2004208100.tif 000002
【特許請求の範囲】
【請求項１】
符号化されたデジタル映像信号を受信する映像信号処理装置において、
前記符号化デジタル映像信号を復号する復号回路と、該復号回路によって復号された映像信号を、予め定めた特定フレーム周波数を持つ映像信号に変換するフォーマット変換回路と、
を備え、外部の記録装置に映像を録画する場合は、前記フォーマット変換回路からの出力信号が前記外部記録装置へ供給され、映像を表示部に表示する場合は、前記復号回路からの復号映像信号が前記表示部に供給されるようにしたことを特徴とする映像信号処理装置。
【請求項２】
前記特定フレーム周波数は、前記外部記録装置が対応する特定放送方式のフレーム周波数であることを特徴とする請求項１に記載の映像信号処理装置。
【請求項３】
前記特定放送方式がＮＴＳＣ方式であり、そのフレーム周波数が29.97Hzであることを特徴とする請求項２に記載の映像信号処理装置。
【請求項４】
請求項１に記載の映像信号処理装置において、更に、録画の予約情報を記憶するメモリ部を備え、該メモリ部に記憶された予約情報で定められた録画予約時刻に従って、前記フォーマット変換回路からの出力信号を前記外部記録装置に供給することを特徴とする映像信号処理装置。
【請求項５】
録画を示すコマンドが入力され、該コマンドに従って、前記フォーマット変換回路からの出力信号を前記外部記録装置に供給することを特徴とする映像信号処理装置。
【請求項６】
符号化されたデジタル映像信号を受信する映像信号処理装置において、
前記符号化デジタル映像信号を復号する復号回路と、該復号回路によって復号された映像信号のフォーマットを変換するフォーマット変換回路と、前記復号回路における復号処理及び前記フォーマット変換回路におけるフォーマット変換処理に用いられるクロックを、前記復号回路及び前記フォーマット変換回路へ供給するための発振器と、
を備え、前記発振器は、受信された前記符号化映像信号に含まれるフレーム周波数に同期する第１のクロックと、予め定めたフレーム周波数に同期する第２のクロックとを出力可能であり、
更に、前記発振器は、外部の記録装置に映像を録画する場合に前記第２のクロックを出力し、映像を表示部に表示する場合は、前記第１のクロックを出力するように制御されることを特徴とする映像信号処理装置。
【請求項７】
前記符号化映像信号は、60Hz、59.94Hz、30Hz、29.97Hz、24Hzのいずれか一つのフレーム周波数を持ち、前記第１のクロックは、受信された前記符号化映像信号のフレーム周波数であって、少なくとも30Hzのフレーム周波数に同期する周波数を持ち、前記第２のクロックは、少なくともNTSC方式のフレーム周波数である29.97Hzに同期する周波数を持つことを特徴とする請求項６に記載の映像信号処理装置。
【請求項８】
前記発振器は、予め定められた録画予約時間に従って、前記第２のクロックを出力することを特徴とする請求項６に記載の映像信号処理装置。
【請求項９】
前記発振器は、録画を示すコマンドに従って、前記第２のクロックを出力することを特徴とする請求項６に記載の映像信号処理装置。
【請求項１０】
符号化されたデジタル映像信号を受信する映像信号処理装置において、
前記符号化されたデジタル映像信号を復号する復号回路と、該復号された映像信号を、輝度信号及び色信号が重畳されたアナログ映像信号に変換して外部機器へ出力するフォーマット変換回路と、制御回路と、前記外部機器への映像信号出力時間を管理する予約情報を記憶するメモリ部とを備え、
前記制御回路は、前記メモリ部に記憶された予約情報に従って、予約時間内であれば、前記復号映像信号を、予め定められたフレーム周波数を持つ前記アナログ映像信号に変換し、予約時間外であれば、前記復号映像信号を、前記符号化映像信号に含まれるフレーム周波数を持つ前記アナログ映像信号に変換するように、前記フォーマット変換回路を制御することを特徴とする映像信号処理装置。
【請求項１１】
請求項１０に記載の映像信号処理装置において、更に、基本クロックを出力する発振器と、前記復号回路における復号処理に使用するクロックを前記基本クロックから生成する第１のクロック生成回路と、前記フォーマット変換回路におけるフォーマット変換処理に使用するクロックを前記基本クロックから生成する第２のクロック生成回路とを備え、
前記発振器は、前記アナログ映像信号のフレーム周波数に同期する周波数を有する第１の基本クロックと、前記符号化映像信号のフレーム周波数のうち、前記アナログ映像信号のフレーム周波数と異なるフレーム周波数に同期する第２の基本クロックとのいずれかを前記制御回路によって選択され、
前記制御回路は、前記予約時間内であれば前記第１の基本クロックを、前記予約時間外であれば前記第２の基本クロックを出力するように前記発振器を制御することを特徴とする映像信号処理装置。
【請求項１２】
請求項１０に記載の映像信号処理装置において、前記符号化映像信号のフレーム周波数が29.97Hzまたは59.94Hzの場合は、フレーム周波数29.97HzのNTSC標準信号を出力し、
前記符号化映像信号のフレーム周波数が30Hz，60Hzまたは24Hzであって、かつ予約時間内であれば、フレーム周波数29.97HzのNTSC標準信号を出力し、
前記符号化映像信号のフレーム周波数が30Hz，60Hzまたは24Hzであって、かつ予約時間外であれば、フレーム周波数30Hzの擬似NTSC信号を出力する、
ことを特徴とする映像信号処理装置。
【請求項１３】
符号化されたデジタル映像信号を受信する映像信号処理装置において、
前記符号化されたデジタル映像信号を復号する復号回路と、該復号された映像信号を、輝度信号及び色信号が重畳されたアナログ映像信号に変換して外部機器へ出力するフォーマット変換回路と、外部機器の動作状態が入力される制御回路とを備え、
前記制御回路は、前記外部機器が接続され、かつ前記外部機器が動作している場合は、前記復号映像信号を、予め定められたフレーム周波数を持つ前記アナログ映像信号に変換し、前記外部機器が接続されていない、または前記外部機器が動作していない場合は、前記復号映像信号を、前記符号化映像信号に含まれるフレーム周波数を持つ前記アナログ映像信号に変換するように、前記フォーマット変換回路を制御することを特徴とする映像信号処理装置。
【請求項１４】
請求項１３に記載の映像信号処理装置において、更に、基本クロックを出力する発振器と、前記復号回路における復号処理に使用するクロックを前記基本クロックから生成する第１のクロック生成回路と、前記フォーマット変換回路におけるフォーマット変換処理に使用するクロックを前記基本クロックから生成する第２のクロック生成回路とを備え、
前記発振器は、前記アナログ映像信号のフレーム周波数に同期する周波数を有する第１の基本クロックと、前記符号化映像信号のフレーム周波数のうち、前記アナログ映像信号のフレーム周波数と異なるフレーム周波数に同期する第２の基本クロックとのいずれかを前記制御回路によって選択され、
前記制御回路は、前記外部機器が接続され、かつ前記外部機器が動作している場合は前記第１の基本クロックを、前記外部機器が接続されていない、または前記外部機器が動作していない場合は前記第２の基本クロックを出力するように前記発振器を制御することを特徴とする映像信号処理装置。
【請求項１５】
請求項１３に記載の映像信号処理装置において、前記符号化された映像信号のフレーム周波数が29.97Hzまたは59.94Hzの場合は前記外部出力手段からフレーム周波数29.97HzのNTSC標準信号を出力し、
前記符号化された映像信号のフレーム周波数が30Hz，60Hzまたは24Hzであって、かつ外部機器が動作していれば前記外部出力手段からフレーム周波数29.97HzのNTSC標準信号を出力し、
前記符号化された映像信号のフレーム周波数が30Hz，60Hzまたは24Hzであって、かつ外部機器が動作していなければ前記外部出力手段からフレーム周波数30Hzの擬似NTSC信号を出力する、
ことを特徴とする映像信号処理装置。
【請求項１６】
請求項１０または１３に記載の映像信号処理装置において、前記アナログ映像信号のフレーム周波数を設定可能にしたことを特徴とする映像信号処理装置。
【請求項１７】
映像表示装置において、
符号化されたデジタル映像信号を受信する受信部と、該受信部で受信した符号化デジタル映像信号を復号する復号回路と、該復号回路で復号された映像信号に基づいて映像の表示を行う表示部と、前記復号回路によって復号された映像信号を、予め定めた特定フレーム周波数を持つ映像信号に変換するフォーマット変換回路と、
を備え、外部の記録装置に映像を録画する場合は、前記フォーマット変換回路からの出力信号を前記外部記録装置へ供給し、映像を表示部に表示する場合は、前記復号回路からの復号映像信号を前記表示部に供給するようにしたことを特徴とする映像表示装置。
【発明の詳細な説明】
【０００１】
【発明の属する技術分野】
本発明は、符号化されたデジタル映像信号を受信する映像信号処理装置、及びその信号に基づき映像の表示を行なう映像表示装置に関する。
【０００２】
【従来の技術】
近年、映像信号をMPEG2方式等で符号化して送信するデジタルテレビジョン方式が実用化されている(以下、このような映像信号を符号化映像信号、または符号化信号と呼ぶ)。米国では、地上デジタルテレビジョン方式としてATSC(Advanced Television Systems Committee)規格に基づき放送が行われている。この規格においては、映像フォーマットは複数種類規定されている。
【０００３】
このような符号化映像信号を受信する受信機からVCR(Video Cassette Recorder)等の外部記録装置に映像信号を出力して録画する場合において、VCRの入力フォーマット(例えばNTSC方式)に従って、外部記録装置へ出力する映像信号のフォーマットを変換(ダウンコンバート)する技術が、例えば下記特許文献１に記載されている。
【０００４】
【特許文献１】
特開平１１−２０５７２９号公報
【０００５】
【発明が解決しようとする課題】
上記特許文献１に記載の従来技術は、符号化映像信号を録画するか否か、もしくは表示するか否かに関わらず、常に、符号化映像信号を外部録画機器の入力フォーマットに合致するように変換している。従って、表示部のフォーマット(縦横のドット数等)が外部録画機器の入力フォーマットと異なる(特に表示部のフォーマットの方が高い)場合、表示部に高精細のデジタル映像信号の特徴を生かした高画質の映像を表示することができない。
【０００６】
本発明は、このような問題点を鑑みて為されたものである。その目的は、符号化映像信号から、録画及び表示に夫々適した映像信号を得るのに好適な映像信号処理装置、及び映像表示装置を提供することにある。
【０００７】
【課題を解決するための手段】
上記目的を達成するために、本発明では、復号された符号化映像信号を、予め定めた特定フレーム周波数を持つ映像信号に変換するフォーマット変換回路を設け、外部の映像録画機器に映像を録画する場合は、前記フォーマット変換回路からの出力信号を前記外部記録装置へ供給し、映像を表示部に表示する場合は、前記復号された符号化映像信号を前記表示部に供給するようにした。上記フォーマット変換回路から外部記録装置への信号の供給は、予め定めた録画予約時刻に従って行ってもよく、また録画コマンドに従って行うようにしてもよい。
【０００８】
また、本発明では、前記復号回路及び前記フォーマット変換回路へクロックを供給するための発振器として、受信された符号化映像信号に含まれるフレーム周波数に対応する第１のクロックと、少なくとも特定放送方式のフレーム周波数に対応する第２のクロックとを出力可能なものを用いている。そして、外部の映像録画機器に映像を録画する場合は前記第２のクロックを出力し、映像を表示部に表示する場合は前記第１のクロックを出力するように、発振器を制御している。
【０００９】
このような構成によれば、符号化映像信号を録画する場合は、外部記録装置が対応する放送方式(例えばNTSC方式)に応じたフレーム周波数を持つ映像信号を外部記録装置に供給することができる。このため、外部記録装置が対応する放送方式のフレーム周波数と、この外部記録装置に供給される映像信号(フォーマット変換回路からの出力信号)のフレーム周波数との差に起因して発生する色信号妨害を抑えることができる。また、符号化映像信号を表示部に表示する場合は、その受信した符号化映像信号のもつフレーム周波数をそのまま表示に反映させるので、高画質で映像を表示することが可能となる。
【００１０】
【発明の実施の形態】
本発明の好ましい実施の形態について、図面を参照しながら説明する。なお、各図面に共通な部分には同一符号を付す。図１は、本発明に係る映像信号処理装置の第一の実施形態を示すブロック図である。以下、符号化された映像信号としてATSC規格に基づいた信号(以下、ATSC信号と呼ぶ)を受信し、外部記録装置３に対し外部出力映像信号としてNTSC信号を出力するものとして説明する。ここで、受信されたATSC信号のフレーム周波数は、60Hz、59.94Hz、30Hz、29.97Hz、24Hzのいずれかを持つものとする。
【００１１】
図１において、符号化・変調されて送信されたATSC信号はアンテナ２で受信され、変調信号101としてテレビジョン受信機１に入力される。入力された変調信号101は復調回路11において選局および復調が行われ、符号化信号102となる。ATSC信号の場合は符号化方法としてMPEG2(Motion Pictures Experts Group)が採用されており、符号化信号102はMPEG2パケットとして出力される。
【００１２】
ATSC信号の場合は、上記説明したように映像フォーマットとして18通りが規定されているため、復号映像信号103は18通りのフォーマットを有することになる。このとき、映像の解像度およびフレーム周波数に関する情報は符号化信号102に含まれており、その情報に基づき復号が行われベースバンドの復号映像信号103となり、表示部13において表示される。尚、実際のATSC信号では映像信号だけでなく音声信号やその他のデータも符号化信号102の中に含まれているが、本発明の実施形態の説明においては映像信号以外の信号の処理については省略する。
【００１３】
復号回路12およびフォーマット変換回路15には、動作クロックとして基本クロックの発振器17で生成された基本クロック105が入力されており、復号映像信号103および外部出力映像信号109は基本クロックに同期している。したがって、復号映像信号103のフレーム周波数を切り替える場合は、基本クロック105の周波数をそれに比例して切り替える必要がある。
【００１４】
ここで符号化信号102に含まれているフレーム周波数情報が30Hzのときに使用する基本クロック105を30Hz系と呼ぶとする。フレーム周波数60Hzの場合は２倍の周波数であるので、同じ30Hz系の基本クロック105を使用することができる。フレーム周波数24Hzの場合は、一般的にテレ−シネ変換と言われる方法で30Hzに変換されて表示されるため、同様に30Hz系の基本クロック105を使用することができる。
【００１５】
これに対し、符号化信号102に含まれているフレーム周波数が29.97Hzの場合は、その周波数比が1001：1000と非常に僅かであり、簡単な分周または逓倍で生成できる差ではないため、30Hz系基本クロックを使用することはできない。そのため独立して29.97Hz系の基本クロック105を生成し、復号回路12およびフォーマット変換回路15に与える必要がある。またフレーム周波数59.94Hzの場合はその２倍の周波数であるので同じ29.94Hz系の基本クロック105を使用することができる。
【００１６】
このように符号化信号102に含まれているフレーム周波数が30Hz、60Hzまたは24Hzの場合は、30Hz系の基本クロック105を使用し復号回路12およびフォーマット変換回路15で映像信号の処理を行うことにより、復号映像信号103のフレーム周波数はそれぞれ30Hz、60Hz、30Hzとなる。符号化信号102に含まれているフレーム周波数が29.97Hzまたは59.94Hzの場合、29.94Hz系の基本クロック105を使用し復号回路12およびフォーマット変換回路15で映像信号の処理を行うことにより、復号映像信号103のフレーム周波数はそれぞれ29.97Ｈｚ、59.94Hzとなる。
【００１７】
制御回路18は制御信号106を用いて発振器17の発振周波数を上記の30Hz系と29.97Hz系に切り替えている。また図１には図示していないが、制御回路18は復調回路11、復号回路12、フォーマット変換回路15の制御も行っている。
ちなみにMPEGシステムクロック（27.000MHz）のように、フレーム周波数に関係なく一定のクロックを処理に使用することもあるが、本発明においては映像処理に用いる、フレーム周波数に同期したクロックについてのみ説明する。
【００１８】
表示部13での表示と同時に、復号映像信号103はフォーマット変換回路15に入力される。フォーマット変換回路15は、解像度変換とインターレース変換により、復号映像信号103をアナログ映像信号すなわちNTSC信号に変換する。ATSC規格では有効走査線数は1080、720、480および400本が規定されているが、まず解像度変換により有効走査線480本に変換される。また復号映像信号103がプログレッシブ信号であった場合にはインターレース変換を行う。以上のような映像信号処理により、有効走査線480本、インターレースの、NTSC規格に沿った信号に変換される。フレーム周波数は、NTSC標準信号とするには29.97Hzに変換しなければならないが、復号回路12およびフォーマット変換回路15が同期処理を行っているため、常にフレーム周波数を29.97Hzとできない制限が発生する。以下、フォーマット変換回路15でのフレーム周波数の変換について説明する。
【００１９】
まず復号映像信号103のフレーム周波数が29.97Hzの場合は、フレーム周波数は29.97HzのままでNTSC標準信号として出力すればよい。59.94Hzの場合はフレーム周波数を半分にすればよく、サンプリング周波数を半分にするだけで極めて容易に実現可能である。
【００２０】
復号映像信号103のフレーム周波数が30Hzの場合、フォーマット変換回路15ではフレーム周波数を29.97Hzに変換することができない。なぜならば、上記説明したように復号回路12とフォーマット変換回路15は30Hz系の基本クロック105により同期して動作しているものであり、29.97Hz系の基本クロックで動作可能なフレーム周波数変換回路が新たに必要になるからである。フレーム周波数を30Hzから29.97Hzに変換するには、フレーム周波数変換回路として新たにフレーム周波数変換用メモリと、独立した29.97Hz系基本クロック生成回路が必要であり、回路規模が増大しコストアップの要因となってしまう。したがって本発明においては、復号映像信号103のフレーム周波数が30Hzの場合は30Hz系の基本クロック105を使用し、フレーム周波数30Hzの擬似NTSC信号として外部出力映像信号109を生成する。復号映像信号103のフレーム周波数が60Hzおよび24Hzの場合も、同様の理由により外部出力映像信号109のフレーム周波数は30Hzとなる。以上説明した符号化信号102と復号映像信号103、外部出力映像信号109の変換関係、および使用される基本クロック105の種類を表１に示す。
【００２１】
【表１】
2004208100.tif 000003
【００２２】
このようにして生成された外部出力映像信号109は、外部出力端子120を通じて外部記録装置３に対し出力される。外部記録装置３は、例えばVHS等のNTSC入力を有するアナログ記録装置である。外部記録装置３はNTSC標準信号が入力されるのが前提で設計されているため、フレーム周波数30Hzの擬似NTSC信号が入力されると、色信号の妨害が発生する場合がある。なぜならば、Ｙ／Ｃ分離は色副搬送波周波数と水平走査周波数の相関関係を利用して処理を行っているためである。すなわち、NTSC標準信号においては、色副搬送波周波数Fscと水平走査周波数Ｆｈとの間にFsc＝(Fh／２)×455の周波数インターリービング関係が保たれている。外部記録装置３は、外部出力信号の色副搬送波に同期した色副搬送波を生成するが、外部記録装置３が生成可能な色副搬送波の範囲は一般に狭い。よって、フレーム周波数が標準の29.97Hzからずれると、外部記録装置３で色副搬送波を生成できない場合が生じる。その場合、上記相関関係が成立しなくなり、正しくＹ／Ｃ分離を行うことができなくなるため、色信号妨害が発生し易くなる。
【００２３】
このような外部記録装置３における色信号妨害を防ぐため、本発明では、外部記録装置３で外部出力映像信号109を使用することが明らかな場合は、外部出力映像信号109のフレーム周波数を29.97Hzとし、NTSC標準信号を出力する。以下、その方法について説明する。
【００２４】
メモリ部である予約情報記憶回路19には、テレビジョン受信機１としての番組予約情報が記憶されている。予約情報としては、予約したチャンネル、予約開始時間、予約終了時間が一般的であり、場合により表示部13での表示の有無、外部出力端子１２０からの出力の有無等を記憶しておくことも可能である。この予約情報記憶回路19は、例えばRAMやEEPROM等で構成される。
【００２５】
制御回路18は予約情報記憶回路19からの予約情報108に基づき、発振器17の発信する基本クロック105の周波数を切り替える。現在時刻における番組予約が存在しない場合は、外部出力映像信号109が外部記録装置３において使用されないと判断し、符号化信号102に含まれているフレーム周波数情報を用い、その周波数に従い発振器1７の生成する基本クロック105の周波数を制御する。したがって符号化信号102と復号映像信号103、外部出力映像信号109および使用される基本クロック105の変換関係は表１に示した通りになる。この場合には復号映像信号103のフレーム周波数は符号化信号102本来のフレーム周波数であり、符号化信号102のフレーム周波数が30Hz，60Hzまたは24Hzであっても、表示部13においてフレーム落ちが発生することなく表示することができる。また外部出力映像信号109は外部記録装置３で使用されていないため、符号化信号102のフレーム周波数が30Hz，60Hzまたは24Hzであって、外部出力映像信号109がフレーム周波数30Hzの擬似NTSC信号であっても何ら問題は発生しない。
【００２６】
これに対し、現在時刻における番組予約が存在する場合は、外部出力映像信号109が外部記録装置３において使用されると判断し、符号化信号102に含まれているフレーム周波数情報にかかわらず、制御回路18は発振器17の生成する基本クロック105を29.97Hz系の基本クロックに切り替える。したがって復号回路12およびフォーマット変換回路15はフレーム周波数29.97Hzに同期して動作し、出力される復号映像信号103、外部出力映像信号109もフレーム周波数29.97Hzに同期したNTSC標準信号となる。したがって符号化信号102と復号映像信号103、外部出力映像信号109および使用する基本クロック105の変換関係は表２に示した通りになる。
【００２７】
【表２】
2004208100.tif 000004
【００２８】
このように、番組予約が存在する場合には、復号回路12およびフォーマット変換回路15は29.97Hz系の基本クロック105を使用することにより、外部出力映像信号109は必ず29.97Hzのフレーム周波数を有するNTSC標準信号となる。
【００２９】
ここで、フレーム周波数が30Hzの復号映像信号103をフレーム周波数29.97Hzに変換する場合の、フォーマット変換回路15の処理の一例について、図５を用いて説明する。31はフレーム周波数が30Hzの復号映像信号103を、32は変換すべきフレーム周波数29.97Hzの映像信号を示す。横軸は時間を表わしており、31のフレーム311〜フレーム318までの時間と32のフレーム321〜フレーム327までの時間が一致する。したがって図５のようにフレーム周波数変換を行うには、フレーム周波数30Hzに同期したクロックで各フレーム311〜317のデータをメモリに書込み、フレーム周波数29.97Hzに同期したクロックでメモリからデータを読出すことでフレーム321〜フレーム327とすればよい。このときフレーム318のデータは使用されず、結果として1001フレームに１フレームだけ欠落することになるが、外部記録装置３において、色信号妨害は発生しない。
【００３０】
よって第一の実施形態によれば、外部出力映像信号109を使用する外部記録装置３において色信号の分離に何ら問題なく、色信号の妨害は発生しない。またNTSC標準信号を生成するための新たなフレーム周波数変換回路が必要無く、コストアップ要因が発生しないと言う利点がある。
【００３１】
続いて、図２に本発明に係る第二の実施の形態を示す。外部機器接続端子121を通して、制御回路18に外部機器３の外部装置状態情報110を入力する点が、第図１に示した一の実施形態とは異なる。また、第一の実施形態においては、予約情報108に基づき基本クロック105の周波数を切り替えたが、図２の実施例では外部記録装置３の動作状態情報110に基づいて基本クロック105を切り替える。
【００３２】
現在時刻において、外部装置状態情報110が非動作を示す場合は、外部出力映像信号109が外部記録装置３において使用されないと判断し、符号化信号102に含まれているフレーム周波数情報に従い発振器17の生成する基本クロック105の周波数を制御する。このときの符号化信号102と復号映像信号103、外部出力映像信号109および使用される基本クロック105の変換関係は表１に示した通りになる。復号映像信号103のフレーム周波数は符号化信号102本来のフレーム周波数であり、符号化信号102のフレーム周波数が30Hz，60Hzまたは24Hzであっても、表示部13においてフレーム落ちが発生することなく表示することができる。また外部出力映像信号109は外部記録装置３で使用されていないため、符号化信号102のフレーム周波数が30Hz，60Hzまたは24Hzであって、外部出力映像信号109がフレーム周波数30Hzの擬似NTSC信号であっても何ら問題は発生しない。
【００３３】
これに対し、外部装置状態情報110が動作状態を示す場合は、外部出力映像信号109が外部記録装置３において使用されると判断し、符号化信号102に含まれているフレーム周波数情報にかかわらず、制御回路18は発振器17の生成する基本クロック105を29.97Hz系の基本クロックに切り替える。したがって図１に示した実施例と同様に、符号化信号102と復号映像信号103、外部出力映像信号109および使用する基本クロック105の変換関係は表２に示した通りになる。
【００３４】
このように、外部記録装置３が動作状態にある場合は復号回路12およびフォーマット変換回路15は29.97Hz系の基本クロック105を使用することにより、外部出力映像信号109は必ず29.97Hzのフレーム周波数を有するNTSC標準信号となる。
【００３５】
よって第二の実施形態によれば、外部出力映像信号109を使用する外部記録装置３において色信号の分離に何ら問題なく、色信号の妨害は発生しない。またNTSC標準信号を生成するための新たなフレーム周波数変換回路が必要無く、コストアップ要因が発生しないと言う利点がある。
【００３６】
続いて、図３に本発明に係る第三の実施の形態を示す。14は第一のクロック生成回路、16は第二のクロック生成回路、104は復号回路処理クロック、107はフォーマット変換回路処理クロックである。
【００３７】
図３に示す実施例では、復号回路12およびフォーマット変換回路107は同一の基本クロック105で動作するものではなく、復号回路12およびフォーマット変換回路107はそれぞれクロック104およびクロック107で動作している。またクロック104およびクロック107はそれぞれクロック生成回路14およびクロック生成回路16において基本クロック105を分周、または逓倍して生成されるものであり、基本クロック105と同期関係にある。したがって復号回路12とフォーマット変換回路15が使用するクロックが基本クロック105ではないという点が図１の実施例と異なるだけで、制御方法は同様である。
【００３８】
すなわち、制御回路18は予約情報記憶回路19からの予約情報108に基づき、発振器17の発信する基本クロックの周波数を切り替える。
現在時刻における番組予約が存在しない場合は、外部出力映像信号109が外部記録装置３において使用されないと判断し、符号化信号102に含まれているフレーム周波数情報に従い発振器17の生成する基本クロック105の周波数を制御する。クロック104およびクロック107は基本クロック105に同期しているので、基本クロックが30Hz系ならば復号回路12およびフォーマット変換回路107はフレーム周波数30Hzに同期した処理が行われる。基本クロックが29.97Hz系ならば、復号回路12およびフォーマット変換回路107はフレーム周波数29.97Hzに同期した処理が行われる。
【００３９】
したがって、符号化信号102と復号映像信号103、外部出力映像信号109および使用される基本クロック105の変換関係は表１に示した通りになる。この場合には復号映像信号103のフレーム周波数は符号化信号102本来のフレーム周波数であり、符号化信号102のフレーム周波数が30Hz，60Hzまたは24Hzであっても、表示部13においてフレーム落ちが発生することなく表示することができる。また外部出力映像信号109は外部記録装置３で使用されていないため、符号化信号102のフレーム周波数が30Hz，60Hzまたは24Hzであって、外部出力映像信号109がフレーム周波数30Hzの擬似NTSC信号であっても何ら問題は発生しない。
【００４０】
これに対し、現在時刻における番組予約が存在する場合は、外部出力映像信号109が外部記録装置３において使用されると判断し、符号化信号102に含まれているフレーム周波数情報にかかわらず、制御回路18は発振器17の生成する基本クロック105を29.97Hz系の基本クロックとする。したがって、符号化信号102と復号映像信号103、外部出力映像信号109および使用する基本クロック105の変換関係は表２に示した通りになる。このように、外部出力映像信号109は必ず29.97Hzのフレーム周波数を有するNTSC標準信号となる。
【００４１】
よって第三の実施形態によれば、外部出力映像信号109を使用する外部記録装置３において色信号の分離に何ら問題なく、色信号の妨害は発生しない。またNTSC標準信号を生成するための新たなフレーム周波数変換回路が必要無く、コストアップ要因が発生しないと言う利点がある。
【００４２】
続いて、図４に本発明に係る第四の実施の形態を示す。図４の実施例では、図２に示した実施例と同様に、外部記録装置３の動作状態情報110に基づいて基本クロック105の周波数を切り替える。
【００４３】
現在時刻において、外部装置状態情報110が非動作状態であれは、外部出力映像信号109が外部記録装置３において使用されないと判断し、符号化信号102に含まれているフレーム周波数情報に従い基本クロック105の周波数を制御する。したがって、符号化信号102と復号映像信号103、外部出力映像信号109および使用される基本クロック105の変換関係は、図３の実施例と同様に表１に示した通りになる。この場合は図３に示した実施例と同様に、符号化信号102のフレーム周波数が30Hz，60Hzまたは24Hzであっても、表示部13においてフレーム落ちが発生することなく表示することができる。また外部出力映像信号109は外部記録装置３で使用されていないため、符号化信号102のフレーム周波数が30Hz，60Hzまたは24Hzであって、外部出力映像信号109がフレーム周波数30Hzの擬似NTSC信号であっても何ら問題は発生しない。
【００４４】
これに対し、外部装置状態情報110が動作状態を示す場合は、外部出力映像信号109が外部記録装置３において使用されると判断し、符号化信号102に含まれているフレーム周波数情報にかかわらず、制御回路18は発振器17の生成する基本クロック105を29.97Hz系の基本クロックとする。したがって、符号化信号102と復号映像信号103、外部出力映像信号109および使用する基本クロック105の変換関係は表２に示した通りになる。このように、復号回路12およびフォーマット変換回路15は29.97Hz系の基本クロック105を使用することにより、外部出力映像信号109は必ず29.97Hzのフレーム周波数を有するNTSC標準信号となる。
【００４５】
よって第四の実施形態によれば、外部出力映像信号109を使用する外部記録装置３において色信号の分離に何ら問題なく、色信号の妨害は発生しない。またNTSC標準信号を生成するための新たなフレーム周波数変換回路が必要無く、コストアップ要因が発生しないと言う利点がある。
【００４６】
また、これまで説明した実施例はフレーム周波数の切り替えを予約情報や外部装置状態情報によって制御していたが、テレビジョン受信機の使用者が明示的に切り替えるようにしてもよい。この場合は使用者が外部記録装置での映像信号の表示状態を見て、自由にフレーム周波数を30Hz系と29.97Hz系に切り替えることができ、外部記録装置の個体差によって妨害が目立つ場合にのみフレーム周波数を切り替えて妨害を低減することが可能である。
【００４７】
このように、本発明の構成によれば、符号化映像信号から、録画及び表示に夫々適した映像信号を得ることが可能となる。従って、高画質で映像を録画、及び表示することが可能となる。
【００４８】
【発明の効果】
本発明によれば、高画質で映像を録画、及び表示することが可能となる。
【図面の簡単な説明】
【図１】本発明の第一の実施形態を示す図である。
【図２】本発明の第二の実施形態を示す図である。
【図３】本発明の第三の実施形態を示す図である。
【図４】本発明に係る第四の実施形態を示す図である。
【図５】映像信号のフレーム構造の変換を示す図である。
【符号の説明】
１…テレビジョン受信機、２…アンテナ、３…外部記録装置、11…復調回路、12…復号回路、13…表示部、15…フォーマット変換回路、17…発振器、18…制御回路、19…予約情報記憶回路、101…変調信号、102…符号化信号、103…復号映像信号、105…基本クロック、106…制御信号、108…予約情報、109…外部出力映像信号、120…映像信号外部出力端子。
【図１】
2004208100.tif 000005
【図２】
2004208100.tif 000006
【図３】
2004208100.tif 000007
【図４】
2004208100.tif 000008
【図５】
2004208100.tif 000009